(57)【要約】  【課題】  赤外線センサやＣＣＤカメラ等を別途必要とせず、不審者が侵入した場合に外部に通知可能な防犯機能付き画像形成装置を提供する。  【解決手段】  画像形成装置１は、画像読取部６、画像形成部３、制御部３２、記憶部３３、操作パネル３４、送信部３５、電話回線インターフェース３６により構成されている。画像読取部６は、画像読取モードと防犯モードとに切り換え可能であり、防犯モードに設定された場合は原稿読み取り用のＣＣＤを用いて室内の光量を検知する。画像読取部６により所定時間内に所定値以上の光量増加が検知された場合は、制御部３２により記憶部３３に記憶されたメッセージが読み出され、送信部３５より電話回線インターフェース３６を介して外部に送信される。【選択図】      図２
2006130834.tif 000002
【特許請求の範囲】
【請求項１】
原稿を照明する光源と、原稿からの反射光を画像光として導くミラーとを有し、原稿を走査して読み取る走査光学系と、前記画像光を電気信号に変換する光電変換素子と、ヒンジ部を介して原稿載置面の一端に開閉自在に支持されており、載置された原稿を押さえる原稿押さえと、を備えた画像読取手段と、
所定の信号を外部に送信する送信手段と、前記画像読取手段及び前記送信手段を制御する制御手段と、を含む画像形成装置において、
前記画像読取手段は、原稿画像を読み取る画像読取モードと、前記光電変換素子に入射する光量を測定して室内の明るさを検知する防犯モードとに切り換え可能であり、前記制御手段は、前記防犯モードにおいて前記光電変換素子に入射した光量を所定時間前と比較して所定量以上の差があるとき、前記送信手段を用いて外部に通報することを特徴とする防犯機能付き画像形成装置。
【請求項２】
前記原稿押さえを略４５°に開放された状態で支持する支持手段を設けたことを特徴とする請求項１に記載の防犯機能付き画像形成装置。
【請求項３】
音声又は文字メッセージを記憶する記憶手段が設けられており、前記送信手段は、前記記憶手段に記憶された音声メッセージを電話で送信する電話送信手段、文字メッセージをファクシミリで送信するファクシミリ送信手段、電子メールで送信する電子メール送信手段のうち少なくとも１つから成ることを特徴とする請求項１又は請求項２に記載の防犯機能付き画像形成装置。
【発明の詳細な説明】
【技術分野】
【０００１】
本発明は、ネットワークや電話回線等に接続されているプリンタやファクシミリ、複写機などの画像形成装置に関し、特に、防犯用センサとしての機能を有するものに関する。
【背景技術】
【０００２】
従来、建物内への侵入者を監視するための監視装置が種々開発されており、例えば特許文献１には、赤外線センサと画像センサを組み合わせ、センサから人体までの距離や人体の速度に応じて赤外線の感度を調整する複合型監視装置が開示されている。このようなセキュリティ装置は、壁若しくは天井等に固定されているのが一般的である。しかし、監視装置や配線が壁や天井に固定されていると、オフィス内のレイアウト変更や、セキュリティ強化のための装置の増設或いは移動等を行う場合、装置の取り外しが困難であり、工事費用も高額になるという問題点があった。
【０００３】
そこで、コピー、ファクシミリ、プリンタ等の複数の機能を有するＭＦＰ（Multi  Function  Peripheral）を防犯装置として利用する方法が提案されており、例えば特許文献２には、ＭＦＰに赤外線検出手段と撮像手段とを搭載し、撮像した画像を公衆回線を介して送信する画像形成装置が開示されている。この方法によれば、配線の埋め込み等を伴わないため、レイアウト変更等による監視装置の移動が容易で、常に効果的な監視を行うことが可能である。
【０００４】
また、特許文献３には、複写機に監視カメラを接続し、複写される原稿が特定の要件を満たす場合に複写機のユーザを撮影することにより、不正複写を防止するとともに不正使用者を特定可能な複写機監視システムが開示されている。
【０００５】
しかしながら、特許文献２の方法では、赤外線検出手段や光電変換素子（以下、ＣＣＤという）を用いた撮像手段等が別途必要となるため画像形成装置の高コスト化につながる。また、特許文献３の方法では、複写機の不正使用者を特定することはできるものの、室内に侵入した不審者を検知して外部に通報することは不可能であった。
【特許文献１】特開２０００−３４１６７５号公報
【特許文献２】特開２００３−８７７７５号公報
【特許文献３】特開平７−４４７７７号公報
【発明の開示】
【発明が解決しようとする課題】
【０００６】
本発明は、上記問題点に鑑み、赤外線センサやＣＣＤカメラ等を別途必要とせず、不審者が侵入した場合に外部に通知可能な防犯機能付き画像形成装置を低コストで提供することを目的とする。
【課題を解決するための手段】
【０００７】
上記目的を達成するために本発明は、原稿を照明する光源と、原稿からの反射光を画像光として導くミラーとを有し、原稿を走査して読み取る走査光学系と、前記画像光を電気信号に変換する光電変換素子と、ヒンジ部を介して原稿載置面の一端に開閉自在に支持されており、載置された原稿を押さえる原稿押さえと、を備えた画像読取手段と、所定の信号を外部に送信する送信手段と、前記画像読取手段及び前記送信手段を制御する制御手段と、を含む画像形成装置において、前記画像読取手段は、原稿画像を読み取る画像読取モードと、前記光電変換素子に入射する光量を測定して室内の明るさを検知する防犯モードとに切り換え可能であり、前記制御手段は、前記防犯モードにおいて前記光電変換素子に入射した光量を所定時間前と比較して所定値以上の差があるとき、前記送信手段を用いて外部に通報することを特徴としている。
【０００８】
また本発明は、上記構成の防犯機能付き画像形成装置において、前記原稿押さえを略４５°に開放された状態で支持する支持手段を設けたことを特徴としている。
【０００９】
また本発明は、上記構成の防犯機能付き画像形成装置において、音声又は文字メッセージを記憶する記憶手段が設けられており、前記送信手段は、前記記憶手段に記憶された音声メッセージを電話で送信する電話送信手段、文字メッセージをファクシミリで送信するファクシミリ送信手段、電子メールで送信する電子メール送信手段のうち少なくとも１つから成ることを特徴としている。
【発明の効果】
【００１０】
本発明の第１の構成によれば、画像読取用のＣＣＤを用いて部屋の明るさの変化を検知することにより不審者の侵入を監視できるため、赤外線センサやＣＣＤカメラを別途設けることなく防犯機能を付加することができる。また、所定時間内に所定値以上の変化があった場合のみ異常と判断するため、朝になって部屋が明るくなった時の誤検知を防止する。さらに、異常があった場合は送信手段を用いて外部に通報するので、防犯システムとして効果的に機能する。
【００１１】
また、本発明の第２の構成によれば、上記第１の構成の防犯機能付き画像形成装置において、原稿押さえを略４５°に開放された状態で支持する支持手段を設けたことにより、原稿押さえの裏面を反射板として利用し、室内全体の明るさの変化をより精度良く検知することができる。
【００１２】
また、本発明の第３の構成によれば、上記第１又は第２の構成の防犯機能付き画像形成装置において、音声メッセージを電話で送信する電話送信手段、文字メッセージをファクシミリで送信するファクシミリ送信手段、電子メールで送信する電子メール送信手段のうち少なくとも１つを送信手段として備えたことにより、異常があったことを外部に確実に通知することができる。
【発明を実施するための最良の形態】
【００１３】
以下、図面を参照して、本発明の実施形態を詳細に説明する。図１は、本発明の実施形態に係る画像形成装置の全体構成を示す概略図である。図１において、１は画像形成装置であり、ここでは一例としてデジタル複合機を示している。画像形成装置１では、コピー動作を行う場合、複合機本体２内の画像形成部３において、帯電ユニット４により図中のＡ方向に回転する小径の感光体ドラム５が一様に帯電され、画像読取部６で読み取られた原稿画像データに基づく露光ユニット（レーザ走査ユニット等）７からのレーザビームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００１４】
上記のようにトナー像が形成された感光体ドラム５に向けて、用紙が給紙機構１０から用紙搬送路１１及びレジストローラ対１２を経由して画像形成部３に搬送され、この画像形成部３において転写ローラ１３（画像転写部）により感光体ドラム５の表面におけるトナー像が用紙に転写される。そして、トナー像が転写された用紙は感光体ドラム５から分離され、定着ローラ対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２、２３によって搬送方向が振り分けられ、そのまま（或いは、用紙搬送路１６に送られて両面コピーされた後に）、第１排出トレイ１７ａ、第２排出トレイ１７ｂ又は第３排出トレイ１７ｃの用紙排出部に排出される。
【００１５】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃとを備えてなり、これらは用紙搬送路１１によって感光体ドラム５及び現像ユニット８等からなる画像形成部３に繋がっている。２４は、画像読取部６上に載置される原稿を押さえて保持するプラテン（原稿押さえ）である。
【００１６】
用紙搬送路１５は、具体的には、定着ローラ対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラ対１９を経由して、上下二股に分岐し、一方の経路（図１では上方向に分岐する経路）は第２排出トレイ１７ｂに連通するように構成されている。これに対し、他方の経路（図１では下方向に分岐する経路）は、上記分岐点の直下において二股に分岐し、一方の経路は排出ローラ対２０を経由して第３排出トレイ１７ｃに用紙を排出するように構成されており、他方の経路は用紙搬送路１６に連通するように構成されている。なお、用紙搬送路１６は、片面に画像形成された用紙がスイッチバックされて搬送される経路であり、再び画像形成部３により異なる片面が画像形成されて排出される（両面複写）。
【００１７】
次に、図２を参照して、本実施形態の画像形成装置の動作について説明する。図２は本発明の第１実施形態に係る画像形成装置の構成を示すブロック図である。画像形成装置１は、画像読取部６、画像形成部３、制御部３２、記憶部３３、操作パネル３４、送信部３５、電話回線インターフェース３６により構成されている。
【００１８】
画像読取部６は、複写時に原稿の画像データを読み取り画像信号に変換するスキャナ等から構成される。画像読取部６で読み取られた画像信号は制御部３２に送出され、階調処理等の画像処理を適宜行い、画像信号を画像データに変換する。
【００１９】
図３は、図１の画像読取部６の構造を示す断面拡大図である。同図において、画像読取部６の上方には原稿が裏向きに載置されるコンタクトガラス４１が設置されている。コンタクトガラス４１の上方にはプラテン２４（図１参照）が開閉可能に取り付けられており、プラテン２４を閉じることによりコンタクトガラス４１に原稿を密着させる。原稿を走査する場合、先ず照明ユニット４２をスキャナホーム側（図３においては左側）からスキャナリターン側（図３においては右側）へ案内レール４４に沿って移動させる。
【００２０】
同時に照明ユニット４２の光源４２ａより原稿に光（図の一点鎖線）が照射される。ミラーユニット４３は照明ユニット４２の１／２の速度で同方向に移動する。原稿からの反射光はミラー４２ｂ及びミラーユニット４３のミラー４３ａ、４３ｂにより光路が変更された後、結像レンズ４５を通過して、ＣＣＤ４６上に結像される。ＣＣＤ４６は反射光（画像光）を電気信号（画像信号）に変換して後述する制御部３２に送出する。この走査でのミラーユニット４３の移動距離は照明ユニット４２の移動距離の１／２であり、これにより原稿面からＣＣＤ４６までの光路長を一定に保持している。
【００２１】
本発明においては、画像読取部６は上述した手順により原稿画像を読み取る画像読取モードと、室内の明るさを検知する防犯モードとに選択的に設定可能となっている。防犯モードに設定されると、ＣＣＤ４６は室内の光量を検知して検知結果を制御部３２に送信する。通常、ユーザが業務を終了して退室する際、室内の照明は消灯され、翌日まで点灯されることはないため、朝になって太陽が昇るまでは室内は暗く、ＣＣＤ４６により検知される光量は一定である。
【００２２】
しかし、例えば不審者が侵入して室内を物色する場合、室内照明を点灯させるか、或いは懐中電灯等の照明器具を用いることが多いので、ＣＣＤ４６により検知される光量は急激に大きくなる。従って、ＣＣＤ４６により検知される光量が所定時間前と比較して所定量以上増加した場合、侵入者有りと判断して後述する送信部３５により外部に通報することで、不審者の侵入を確実に察知することができる。
【００２３】
光量を比較する時間間隔、及び侵入者有りと判断する光量変化のしきい値は適宜設定可能であるが、時間間隔及びしきい値を大きく設定し過ぎると、侵入者を確実に検知できないおそれがあり、逆にしきい値を小さく設定し過ぎると、朝になって室内が明るくなった時に誤検知を起こすおそれがある。そのため、光量を比較する時間間隔は数分〜１０分間程度とし、光量変化のしきい値は、その時間内に部屋が自然に明るくなる光量変化よりもやや大きく設定しておく。
【００２４】
ＣＣＤ４６は、入射光を光量に応じて０〜２５５階調までの電気信号に変換して出力し、その出力値は、通常、プラテン２４が閉じた状態で２０、プラテン２４が開放され蛍光灯の光が直接入射した状態で１７０程度となる。このようなＣＣＤ４６を用いて室内の明るさの変化を検知する場合、夜間に室内を消灯した時のＣＣＤ４６の出力値を予め算出しておき、防犯モード設定直後はその数値よりも＋５〜＋１０高くなった時、その後は所定時間前に検知された出力値よりも＋５〜＋１０高くなった時に異常有りと判断するように設定すれば良い。
【００２５】
また、防犯モード設定中は、室内の光量を検知するためプラテン２４（図１参照）を所定量開放しておく必要があるのはもちろんである。しかし、ＣＣＤ４６は画像形成装置の上方からコンタクトガラス４１を透過し、照明ユニット４２のミラー４２ｂ及びミラーユニット４３のミラー４３ａ、４３ｂにより光路が変更された光を検知するように配置されているため、画像形成装置の側方からの光を検知することはできない。
【００２６】
そこで、プラテン２４を略４５°に開放した状態で支持する支持手段を設けておけば、図４に示すように、水平方向からの光をプラテン２４の裏面に反射させ、光路を９０°折り曲げて上方からの光とした後、ミラー４２ｂ、４３ａ、及び４３ｂを介してＣＣＤ４６に効率良く導くことができる。これにより、画像形成装置から離れた場所で侵入者が照明器具を用いた場合にも、侵入者の有無を精度良く検知可能となる。この場合、プラテン２４の裏面は光を効率良く反射できる白色としておくことが好ましい。
【００２７】
なお、光量の増加のみでなく光量の減少を検知したときにも反応するような設定とすると、ユーザが防犯モードに設定した後、室内の照明を消灯した時にも異常有りと誤検知してしまうため、本実施形態のように光量が所定値以上増加したときのみ侵入者有りと判断する設定とするか、或いは防犯モード設定後の一定時間は光量の変化に反応しない設定としておくことが好ましい。
【００２８】
図２に戻って、画像形成部３は、制御部３２において変換された画像データをもとに感光体上に潜像を形成し、現像した後に用紙上にトナー像を転写する。制御部３２は、設定されたプログラムに従って画像読取部６、画像形成部３や後述する送信部３５、電話回線インターフェース３６を全般的に制御する。また、防犯モードに設定された画像読取部６が異常を検知したときは、後述する記憶部３３に格納されているメッセージを選択し、送信部３５より外部に送信する。
【００２９】
記憶部３３は、音声メッセージ及び文字メッセージを格納するメッセージ格納メモリ３８と、ユーザにより登録されたファクシミリ番号が格納されるファクシミリ番号格納メモリ３９を備えており、メッセージ格納メモリ３８から制御部３２により選択されたメッセージを送信部３５に読み出す。メッセージ格納メモリ３８には音声メッセージ及び文字メッセージがデータ化されて格納されている。また、記憶部３３には、制御部３２の制御に用いられる基本プログラムを格納するプログラム記憶メモリ４０が設けられている。
【００３０】
尚、このメッセージ格納メモリ３８は、例えば、ＲＯＭ（リードオンリーメモリ）により構成されているが、書き換え可能なＰＲＯＭ（例えば、データの消去を紫外線で行うＥＰＲＯＭや、データの消去を電気的に行うＥＥＰＲＯＭ）を用いてユーザによるメッセージの変更が可能な構成としても良い。
【００３１】
操作パネル３４は、ユーザが印刷条件やファクシミリ送信先の設定を行う他、記憶部３３にファクシミリ送信先を登録したり、登録された送信先の読み出しを行う等の種々の設定にも使用され、複数の操作キーから成る操作部と、設定条件や装置の状態等を表示する表示部（いずれも図示せず）とから構成される。また、画像読取部６を画像読取モード若しくは防犯モードに設定するとともに、防犯モードにおいて異常を検知した時に、送信部３５のいずれの送信手段を用いて外部に送信するかの設定も行う。
【００３２】
送信部３５は、制御部３２により選択された音声メッセージを電話回線インターフェース３６を通じて送信する音声送信部５１と、制御部３２により選択された文字メッセージをファクシミリ又は電子メールにより電話回線インターフェース３６を通じて送信するメール送信部５２から構成される。ユーザが使用する送信手段を操作パネル３４により入力しておくと、これら３つの送信手段のうち予め設定された送信手段により、室内の異常が外部に通報される。
【００３３】
例えば、予め電子メールによる送信が設定されていると、メッセージ格納メモリ３８から文字メッセージデータが選択されてメール送信部５２に読み出され、電話回線インターフェース３６を通じて、「異常が発生しました」等の文字メッセージが電子メールにより特定の送信先に送信される。また、電話回線を通じて音声メッセージを送信する設定では、メッセージ格納メモリ３８から音声メッセージデータが選択されて音声送信部５１に読み出され、電話回線インターフェース３６を通じて、「異常が発生しました」等の音声メッセージが特定の送信先に送信される。これにより、不審者の侵入を確実に察知して通報することができる。
【００３４】
なお、送信先の電子メールアドレスや電話番号は、予め記憶部３３に登録しておくこともできるし、防犯モード設定時に操作パネル３４より入力しても良い。また、個人ＩＤカード等に送信先情報を記憶させておき、ユーザが防犯モードを設定する際に装置に設けられたカードリーダにより読み取らせることも可能である。
【００３５】
電話回線インターフェース３６は、制御部３２の制御を受けて電話回線と画像形成装置側への通話路を形成するＮＣＵ（Ｎｅｔｗｏｒｋ  Ｃｏｎｔｒｏｌ  Ｕｎｉｔ）５３と、制御部３２の制御を受けてＮＣＵを通じて入力されるアナログ信号をデジタル信号に復調し、制御部３２から提供されるデジタル信号をアナログ信号に変調するモデム５４から構成される。この電話回線インターフェース３６を介してファクシミリ通信の他、前述したような音声メッセージや電子メールの送信が行われる。
【００３６】
図５は本発明の第２実施形態に係る画像形成装置の構成を示すブロック図である。本実施形態においては、第１実施形態の構成に加えて、画像形成装置をＬＡＮネットワークに接続するＬＡＮインターフェース５５が設けられている。本実施形態の他の構成については第１実施形態と同様であるため、図２と同一の符号を付して説明を省略する。
【００３７】
このような構成とすることにより、メール送信部５２から送信される文字メッセージはＬＡＮインターフェース５５を用いてＬＡＮネットワーク上のパソコンに送信することができる。例えば、建物内の集中警備室に専用のパソコンを設置しておき、このパソコンと各画像形成装置とをＬＡＮネットワークで繋ぐことにより、電子メールによる異常の通知を一層迅速且つ確実に行うことができ、しかも通信料も不要となる。
【００３８】
次に、本発明の画像形成装置の防犯機能について説明する。図６は、第１及び第２実施形態の画像形成装置が防犯モードに設定された場合の動作手順を示すフローチャートである。図２及び図５を参照しながら、図６のステップに従い画像形成装置の防犯モードについて説明する。まず、ユーザが業務を終了すると、画像形成装置１の操作パネル３４を操作して防犯モードに設定し（ステップＳ１）、プラテン２４を開放（ステップＳ２）した後、室内の照明を消灯して退室する。一方、画像読取部６はＣＣＤ４６により室内の光量検知を開始する（ステップＳ３）。
【００３９】
そして、所定時間前の光量と比較して所定値以上増加したか否かを判断する（ステップＳ４）。光量が所定値以上増加した場合は、メッセージが記憶部３３から読み出され、送信部３５より電話回線インターフェース３６或いはＬＡＮインターフェース５５を介して所定の送信先に送信する（ステップＳ５）。ステップＳ４において光量が所定値以上増加しない場合はそのまま次のステップに進む。次に、防犯モードが解除されたか否かを判断し（ステップＳ６）、まだ設定中である場合はステップＳ３に戻り上記処理を同様に繰り返す（ステップＳ３〜Ｓ５）。ユーザにより防犯モードが解除された場合は処理を終了する。
【００４０】
その他本発明は上記実施形態に限定されず、本発明の趣旨を逸脱しない範囲で種々の変更が可能である。上記各実施形態においては、送信手段として電話回線インターフェース３６を通じて電話により音声を送信する手段、ファクシミリを送信する手段、電話回線インターフェース３６或いはＬＡＮインターフェース５５を通じて電子メールを送信する手段の３つを備えた画像形成装置について説明したが、これらの送信手段のうち少なくとも１つを備えた画像形成装置であればよい。
【００４１】
例えば、第２実施形態の画像形成装置において、電話回線インターフェース３６が設けられておらず、電話送信機能やファクシミリ通信機能をもたない場合は、外部に異常を通報する手段としてＬＡＮインターフェース５５を用いてＬＡＮネットワーク上のパソコンに電子メールを送信する手段のみを備えておくこともできる。
【００４２】
また、ここでは音声又は文字メッセージを記憶するメッセージ格納メモリ３８を備え、メッセージ送信により異常を通報する構成について説明したが、外部への通報手段としてはメッセージの送信に限られるものではなく、例えば電話回線を通じて通報する場合、所定の連絡先の電話機に画像形成装置の発信番号を登録しておき、その連絡先に対し発呼のみを行うことにより、電話機のディスプレイを見るだけで異常の発生及び発生場所を認知することができ、通話料も不要となる。
【００４３】
或いは、電話回線インターフェース３６やＬＡＮインターフェース５５を用いて何らかの信号を送信し、警報ランプや警報ブザー等を作動させることにより警備室やセキュリティ会社に通報する構成としても良い。また、電話回線やＬＡＮネットワーク以外の通信回線、例えば光ファイバによる通信回線を用いた送信や、近距離無線通信を用いた送信を行うこともできる。
【００４４】
また、上記各実施形態では、ユーザが手動で防犯モードを設定、解除する構成としているが、予め防犯モードを設定及び解除する時刻を入力しておき、タイマーにより防犯モードの自動設定、自動解除が可能な構成としても良い。また、ここでは原稿押さえがプラテンである場合についてのみ説明しているが、自動搬送装置（ＡＤＦ）が搭載された原稿押さえについても適用可能であるのはもちろんである。
【産業上の利用可能性】
【００４５】
本発明は、原稿を照明する光源と、原稿からの反射光を画像光として導くミラーとを有し、原稿を走査して読み取る走査光学系と、画像光を電気信号に変換する光電変換素子と、ヒンジ部を介して原稿載置面の一端に開閉自在に支持されており、載置された原稿を押さえる原稿押さえと、を備えた画像読取手段と、所定の信号を外部に送信する送信手段と、画像読取手段及び送信手段を制御する制御手段と、を含む画像形成装置において、画像読取手段は、原稿画像を読み取る画像読取モードと、光電変換素子に入射する光量を測定して室内の明るさを検知する防犯モードとに切り換え可能であり、制御手段は、防犯モードにおいて光電変換素子に入射した光量を所定時間前と比較して所定値以上の差があるとき、送信手段を用いて外部に通報することとする。
【００４６】
これにより、赤外線センサやＣＣＤカメラを別途設けることなく画像形成装置に防犯機能を付加することができ、所定時間内に所定値以上の変化があった場合のみ異常と判断するため、朝になって部屋が明るくなった時の誤検知を防止する。さらに、異常があった場合は送信手段を用いて外部に通報するので、防犯システムとして効果的に機能する防犯機能付き画像形成装置を低コストで提供することができる。
【００４７】
また、原稿押さえを略４５°に開放された状態で支持する支持手段を設けたので、原稿押さえの裏面を反射板として利用し、画像形成装置の側方からの光を画像読取部のＣＣＤに効率よく入射させて室内全体の明るさの変化を精度良く検知することができる。
【００４８】
また、送信手段として電話送信手段、ファクシミリ送信手段、電子メール送信手段のうち少なくとも１つを備えたことにより、異常があったことを外部に確実に通知することができる。
【図面の簡単な説明】
【００４９】
【図１】は、本発明の画像形成装置の全体構成を示す概略断面図である。
【図２】は、本発明の第１実施形態に係る画像形成装置の構成を示すブロック図である。
【図３】は、画像読取部の構成を示す断面拡大図である。
【図４】は、プラテンを４５°に開放して水平方向からの光を検知する様子を示す画像読取部の斜視図である。
【図５】は、本発明の第２実施形態に係る画像形成装置の構成を示すブロック図である。
【図６】は、本発明の画像形成装置が防犯モードに設定された場合の動作手順を示すフローチャートである。
【符号の説明】
【００５０】
１      画像形成装置
２      本体
３      画像形成部
６      画像読取部（画像読取手段）
２４    プラテン（原稿押さえ）
３２    制御部（制御手段）
３３    記憶部（記憶手段）
３４    操作パネル
３５    送信部
３６    電話回線インターフェース
３８    メッセージ格納メモリ
３９    ファクシミリ番号格納メモリ
４０    プログラム記憶メモリ
４１    コンタクトガラス
４２    照明ユニット（走査光学系）
４３    ミラーユニット（走査光学系）
４６    ＣＣＤ（光電変換素子）
５１    音声送信部
５２    メール送信部
５３    ＮＣＵ
５４    モデム
５５    ＬＡＮインターフェース
【図１】
2006130834.tif 000003
【図２】
2006130834.tif 000004
【図３】
2006130834.tif 000005
【図４】
2006130834.tif 000006
【図５】
2006130834.tif 000007
【図６】
2006130834.tif 000008